(57)【特許請求の範囲】
【請求項１】
複数の光デバイスを含み、各光デバイスは、当該光デバイスから出力される光学上の光を有し、前記複数の光デバイスの前記対応する光学上の光が出力パラメータに関して互いに対して所定の不等関係を有するようにして構成され、
前記所定の不等関係は、前記出力パラメータに関して互いに対して等しいオフセット、不等のオフセット、及び所定の比率のうちの少なくとも一つを有する前記複数の光デバイスの前記対応する光学上の光の前記出力パラメータを含み、
各光デバイスは、共通駆動信号に電気的に結合された、対応する前部グレーティング・チューニング・セクションを含み、
各前部グレーティング・チューニング・セクションは、前記共通駆動信号に応じて、前記所定の不等関係を実質的に維持しながら、そこから出力される前記光学上の光を前記出力パラメータに関して調整するように構成される、調整可能アレイデバイス。
【請求項２】
前記複数の光デバイスが、複数のチューナブルレーザ、変調器、光検出器、半導体光増幅器、偏波コントローラ、及び位相コントローラのうちの少なくとも一つを含み、
前記出力パラメータが、波長、周波数、パワー、位相、及び偏波のうちの少なくとも一つである、請求項１に記載の調整可能アレイデバイス。
【請求項３】
前記複数の光デバイスの前記対応する少なくとも一つの前部グレーティング・チューニング・セクションに前記共通駆動信号を出力するように結合及び構成されるコントローラをさらに含む、請求項１に記載の調整可能アレイデバイス。
【請求項４】
複数の前記前部グレーティング・チューニング・セクションは、前記コントローラを介して結合されている、請求項３に記載の調整可能アレイデバイス。
【請求項５】
前記共通駆動信号が、主信号から生じる複数の信号を含む、請求項３に記載の調整可能アレイデバイス。
【請求項６】
前記複数の光デバイスの前記対応する少なくとも一つの前部グレーティング・チューニング・セクションが、物理的に互いに結合され、前記共通駆動信号を共有する、請求項３に記載の調整可能アレイデバイス。
【請求項７】
前記複数の光デバイスの前記対応する少なくとも一つの前部グレーティング・チューニング・セクションが、電圧、電流、温度、及び機械的操作のうちの少なくとも一つによって前記光学上の光を調整する、請求項１に記載の調整可能アレイデバイス。
【請求項８】
前記複数の光デバイスの各々が、前記所定の不等関係を調整するとともに前記対応する光学上の光を前記出力パラメータに関して独立に調整するように構成される少なくとも一つの追加の調整セクションを含む、請求項１に記載の調整可能アレイデバイス。
【請求項９】
前記所定の不等関係は、前記複数の光デバイスの前記対応する光学上の光の前記出力パラメータが、前記出力パラメータに関する前記対応する光学上の光の前記調整に先立って第１の組の値のそれぞれに一致し、前記調整の後で第２の組の値のそれぞれに一致することを含む、請求項１に記載の調整可能アレイデバイス。
【請求項１０】
前記所定の不等関係は、前記複数の光デバイスの前記対応する光学上の光の周波数が、前記出力パラメータに関する前記対応する光学上の光の前記調整に先立ってＩＴＵグリッドの第１の組のチャネルのそれぞれに一致し、前記調整の後で前記ＩＴＵグリッドの第２の組のチャネルのそれぞれに一致することを含む、請求項１に記載の調整可能アレイデバイス。
【請求項１１】
前記複数の光デバイスが、ＩＴＵグリッドのそれぞれのチャネルに沿って前記複数の光デバイスの前記対応する光学上の光をステップさせるようにさらに構成される、請求項１に記載の調整可能アレイデバイス。
【請求項１２】
前記対応する光学上の光が、互いに対して等しい追加の出力パラメータをさらに有する、請求項１に記載の調整可能アレイデバイス。
【請求項１３】
前記複数の光デバイスが単一チップに一体構造で集積化されている、請求項１に記載の調整可能アレイデバイス。
【請求項１４】
前記対応する光学上の光を組み合わせて、組合せ出力にするように構成された結合器をさらに含む、請求項１に記載の調整可能アレイデバイス。
【請求項１５】
１つ以上の追加の冗長な光デバイスをさらに含む、請求項１に記載の調整可能アレイデバイス。
【請求項１６】
複数のチューナブルレーザを含み、各チューナブルレーザは、当該チューナブルレーザから出力される光学上の光を有し、前記複数のチューナブルレーザの前記対応する光学上の光が周波数に関して互いに対して所定の不等関係を有するようにして構成され、
前記所定の不等関係は、前記周波数に関して互いに対して等しいオフセット、不等のオフセット、及び所定の比率のうちの少なくとも一つを有する前記複数のチューナブルレーザの前記対応する光学上の光の前記周波数を含み、
各チューナブルレーザは、共通駆動信号に電気的に結合された、対応する前部グレーティング・チューニング・セクションを含み、
各前部グレーティング・チューニング・セクションは、前記共通駆動信号に応じて、前記所定の不等関係を実質的に維持しながら、そこから出力される前記対応する光学上の光を周波数に関して調整するように構成される、調整可能アレイデバイス。
【請求項１７】
前記複数のチューナブルレーザの前記対応する前部グレーティング・チューニング・セクションに前記共通駆動信号を出力するように結合及び構成されるコントローラをさらに含む、請求項１６に記載の調整可能アレイデバイス。
【請求項１８】
複数の前記前部グレーティング・チューニング・セクションは、前記コントローラを介して結合されている、請求項１７に記載の調整可能アレイデバイス。
【請求項１９】
前記共通駆動信号が、主信号から生じる複数の信号を含む、請求項１７に記載の調整可能アレイデバイス。
【請求項２０】
前記複数のチューナブルレーザの前記対応する前部グレーティング・チューニング・セクションが、物理的に互いに結合され、前記共通駆動信号を共有する、請求項１７に記載の調整可能アレイデバイス。
【請求項２１】
前記複数のチューナブルレーザの各々が、前記所定の不等関係を調整するとともに前記対応する光学上の光を周波数に関して独立に調整するように構成される少なくとも一つの対応する後部グレーティング・チューニング・セクション又は位相チューニングセクションを含む、請求項１６に記載の調整可能アレイデバイス。
【請求項２２】
前記所定の不等関係は、前記複数のチューナブルレーザの前記対応する光学上の光の前記周波数が、前記周波数に関する前記対応する光学上の光の前記調整に先立ってＩＴＵグリッドの第１の組のチャネルのそれぞれに一致し、前記調整の後で前記ＩＴＵグリッドの第２の組のチャネルのそれぞれに一致することを含む、請求項１６に記載の調整可能アレイデバイス。
【請求項２３】
前記複数のチューナブルレーザが、ＩＴＵグリッドのそれぞれのチャネルに沿って前記複数のチューナブルレーザの前記対応する光学上の光をステップさせるようにさらに構成される、請求項１６に記載の調整可能アレイデバイス。
【請求項２４】
前記複数のチューナブルレーザが単一チップに一体構造で集積化されている、請求項１６に記載の調整可能アレイデバイス。
【請求項２５】
前記複数のチューナブルレーザの各々が、実質的に同じ動作条件下で、前記複数のチューナブルレーザの前記光学上の光を、周波数に関して互いに対して等しいオフセット、不等のオフセット、及びある比率の少なくとも一つにするように構成されている、対応する後部グレーティング・チューニング・セクションを含む、請求項１６に記載の調整可能アレイデバイス。
【請求項２６】
前記対応する光学上の光を組み合わせて、組合せ出力にするように構成された結合器をさらに含む、請求項１６に記載の調整可能アレイデバイス。
【請求項２７】
１つ以上の追加の冗長なチューナブルレーザをさらに含む、請求項１６に記載の調整可能アレイデバイス。
【請求項２８】
調整可能アレイデバイスを調整する方法であって、前記調整可能アレイデバイスは、複数の光デバイスを備え、各光デバイスは、当該光デバイスから出力される光学上の光を有し、前記複数の光デバイスの前記対応する光学上の光が出力パラメータに関して互いに対して所定の不等関係を有するようにして構成され、前記所定の不等関係は、前記出力パラメータに関して互いに対して等しいオフセット、不等のオフセット、及び所定の比率のうちの少なくとも一つを有する前記複数の光デバイスの前記対応する光学上の光の前記出力パラメータを含み、各光デバイスは、共通駆動信号に電気的に結合された、対応する前部グレーティング・チューニング・セクションを含み、前記方法が、
前記共通駆動信号を前部グレーティング・チューニング・セクションの各々に供給するステップと、
前記所定の不等関係を実質的に維持しながら、前記前部グレーティング・チューニング・セクションの各々を調整し、前記共通駆動信号に応じてそこから出力される前記対応する光学上の光を前記出力パラメータに関して調整するステップと
を含む、方法。
【請求項２９】
前記複数の光デバイスが、複数のチューナブルレーザ、変調器、光検出器、半導体光増幅器、偏波コントローラ、及び位相コントローラのうちの少なくとも一つを含み、
前記出力パラメータが、波長、周波数、パワー、位相、及び偏波のうちの少なくとも一つである、請求項２８に記載の方法。
【請求項３０】
前記複数の光デバイスの各前部グレーティング・チューニング・セクションに前記共通駆動信号を出力するように結合及び構成されるコントローラを用いて、前記複数の光デバイスの少なくとも一つの前部グレーティング・チューニング・セクションを制御するステップをさらに含む、請求項２８に記載の方法。
【請求項３１】
複数の前記前部グレーティング・チューニング・セクションは、前記コントローラを介して結合されている、請求項３０に記載の方法。
【請求項３２】
前記共通駆動信号が主信号から生じる複数の信号を含む、請求項３０に記載の方法。
【請求項３３】
前記複数の光デバイスの複数の前記前部グレーティング・チューニング・セクションが、物理的に互いに結合され、前記共通駆動信号を共有する、請求項３０に記載の方法。
【請求項３４】
前記対応する光学上の光を調整する前記ステップが、前記複数の光デバイスの前記対応する少なくとも一つの前部グレーティング・チューニング・セクションを電圧、電流、温度、及び機械的操作のうちの少なくとも一つによって調整するステップを含む、請求項２８に記載の方法。
【請求項３５】
前記所定の不等関係を調整するとともに前記対応する光学上の光を前記出力パラメータに関して独立に調整するステップをさらに含む、請求項２８に記載の方法。
【請求項３６】
前記対応する光学上の光を独立に調整する前記ステップが、前記所定の不等関係を調整するとともに前記対応する光学上の光を前記出力パラメータに関して独立に調整するように構成される前記複数の光デバイスの各々の少なくとも一つの追加の調整セクションを独立に調整するステップを含む、請求項３５に記載の方法。
【請求項３７】
前記所定の不等関係は、前記複数の光デバイスの前記対応する光学上の光の前記出力パラメータが、前記出力パラメータに関する前記対応する光学上の光の前記調整に先立って第１の組の値のそれぞれに一致し、前記調整の後で第２の組の値のそれぞれに一致することを含む、請求項２８に記載の方法。
【請求項３８】
前記所定の不等関係は、前記複数の光デバイスの前記対応する光学上の光の前記周波数が、前記出力パラメータに関する前記対応する光学上の光の前記調整に先立ってＩＴＵグリッドの第１の組のチャネルのそれぞれに一致し、前記調整の後で前記ＩＴＵグリッドの第２の組のチャネルのそれぞれに一致することを含む、請求項２８に記載の方法。
【請求項３９】
前記対応する光学上の光を調整する前記ステップが、ＩＴＵグリッドのそれぞれのチャネルに沿って前記複数の光デバイスの前記対応する光学上の光をステップさせるステップを含む、請求項２８に記載の方法。
【請求項４０】
前記対応する光学上の光を組み合わせて、組合せ出力にするステップをさらに含む、請求項２８に記載の方法。
【請求項４１】
前記調整可能アレイデバイスが１つ以上の追加の冗長な光デバイスをさらに含む、請求項２８に記載の方法。
【発明の詳細な説明】
【技術分野】
【０００１】
本発明は一般に調整可能アレイに関し、特に、複数の光デバイスを含む調整可能アレイであって、各光デバイスが当該光デバイスから出力される光学上の光（optical light）を有する、調整可能アレイに関する。
【背景技術】
【０００２】
大容量光相互接続への関心がかなり高く、かつ増大している。最小の４０Ｇｂ／ｓ、好ましくは１００Ｇｂ／ｓ以上のデータレートが可能な相互接続が、一般に、様々な実施態様において必要とされる。多くの部分において、シリアル形式でこれらのデータレートを実施することが困難であることを要因として、並列多チャンネルの単一ファイバ相互接続の実施態様（すなわち、大データ容量システム）が支持を得ている。
【０００３】
一例として、並列多チャンネル相互接続の実施態様は、高速デジタル信号の伝送用の共通フォームファクタを生成するための１００Ｇｂ／ｓスモール・フォーム・ファクタ・プラガブル（ＣＦＰ）標準、マルチソースアグリーメントに示唆される。ＣＦＰ標準は、次世代高速イーサネット（登録商標）（１００ＧｂＥ）を含む１００Ｇｂ／ｓまでのデータレートでの伝送用途を可能にするホット・プラガブル光トランシーバ・フォーム・ファクタを規定する。プラガブルＣＦＰトランシーバは、インターネットのバックボーンを形成するデータ通信及び電気通信網の超広帯域幅の要求に対応することができる。ＣＦＰ標準の電気インタフェースはおおまかに規定されているだけである。しかし、１００Ｇｂ／ｓトランシーバに関しては、１０個の１０Ｇｂ／ｓデバイスのアレイをもつ並列リンクが好まれる。
【０００４】
多くの従来の並列多チャンネルアレイの実施態様は、固定波長レーザ又は集積化レーザ変調器のアレイを利用し、ＩＴＵグリッド（例えば、２００ＧＨｚ間隔、１００ＧＨｚ間隔、５０ＧＨｚ間隔など）内の所与の波長帯（例えば、Ｃバンド又はＬバンド）で動作する。すなわち、アレイの各レーザは、ＩＴＵグリッドの特定のチャネル及び対応する周波数（波長）で動作することができる。製造プロセスで組み込まれ、若干の熱調整と組み合わされた特定の格子ピッチ（grating pitch）によって、アレイ中のレーザの各々のグリッド位置合わせは達成される。一例として、多波長レーザ放出構成要素において可変ピッチのブラッグ・グレーティングを使用することが、米国特許第５，９３０，２７８号に開示されている。
【０００５】
直接変調レーザ（ＤＭＬ）のアレイが最も単純な実施態様である。例えば、サントゥール  コーポレーション（Santur Corporation）からのＰＤ１００−ＴＸ  １００Ｇｂ／ｓ  ＣＦＰ対応光ファイバトランシーバは、チャネル当たり１０．３１２５Ｇｂ／ｓで動作する１０個の独立チャネルを含む。ＰＤ１００−ＴＸは、１０チャネルＤＭＬアレイ及び光マルチプレクサと一緒に１０チャネルレーザドライバ回路を組み込んでいる。
【発明の概要】
【発明が解決しようとする課題】
【０００６】
しかし、上述のものなどの固定波長レーザからなるアレイでは、多用性が制限される。結果として、所与の固定波長アレイの多くの別形（variant）が、様々なＩＴＵグリッドに関して様々な短距離（２ｋｍ〜１０ｋｍ）、中距離、及び長距離（４０ｋｍを超える）の実施態様の要求を満たすのに必要とされることになる。到達距離と、アレイが使用される環境とにより、別形の選択を決めることができる。
【０００７】
例えば、２〜１０ｋｍの短距離では、高密度ＷＤＭ（波長分割多重）を使用する利点はほとんどないが、それは低密度ＷＤＭ多チャンネル手法よりも一般に高価となるからである。短いリンクの場合、ファイバは、コストのごく一部であり、したがって、追加チャネル（例えば１０、４０、又は１００Ｇｂ／ｓのチャネル）は、追加のファイバを設けることによって追加されることになる。典型的には、ＣＷＤＭ構成は、並列データ搬送路間で４又は８ｎｍ間隔で動作し、したがって、その複合的なセットは、ファイバの利用可能伝送帯の重要な部分を使い果たし、ファイバの容量をさらに増加させるのに追加の波長多重化の余地はほとんどない。
【０００８】
中間距離／長距離では、ファイバコスト及び敷設が極めて重要であり、一般に、多チャネル（例えば、１０、４０、又は１００Ｇｂ／ｓの）をファイバで伝送することが必要とされることになる。これは高密度ＷＤＭを使用することによって達成され、個々の並列データチャネル間の間隔は、典型的には、５０、１００、又は２００ＧＨｚとなる。５０ＧＨｚの間隔の場合には、約１５２５ｎｍと１５６５ｎｍとの間のファイバの従来の「Ｃ」バンドは、約１００レーンのデータを搬送することができる。１００ＧＨｚでは、これは約５０レーンである。したがって、この用途でのアレイの場合、異なる波長出力をもつ最低限の約１０個の異なる別形が、５０ＧＨｚのグリッド上で動作する１０チャンネルユニットに必要とされることになり、約２５個の異なる別形が、５０ＧＨｚのグリッド上で動作する４チャンネルユニットに必要とされることになり、アレイの始動のチャネルにおいて完全な柔軟性を持たせるには、より多くの別形が必要とされる。グリッドが広がる（例えば、１００ＧＨｚまで）につれて、別形の数は原理的には減少するが、多くのユーザは、限度一杯の５０ＧＨｚのグリッドを使用するために１００ＧＨｚグリッドデバイスを「インタリーブし」、したがって、同じ総数の別形を提供することになる。
【課題を解決するための手段】
【０００９】
本発明は、複数の光デバイスの調整可能アレイを提供し、前記複数の光デバイスの各々が、出力パラメータに関して互いに対して所定の不等関係でその光デバイスから出力される光学上の光を有する。複数の光デバイスのその対応する光学上の光は、所定の不等関係を実質的に維持しながら出力パラメータに関して調整可能である。これにより、調整可能アレイの簡単化されたセットアップ及び制御が可能になる。本発明の調整可能アレイは高度に多用性があり、「設定したらそのまま放置（set and forget）」構成の様々な固定波長相互接続の実施態様の要求事項を満たすために使用することができる。
【００１０】
調整可能アレイのチューニング性によって与えられる多用性により、ユーザによって在庫として製造又は保持されなければならない別形の数を減少させることができるようになる。さらに、アレイの調整機能により、アレイが利用されるネットワークの柔軟性及び再構成可能性が与えられるようになる。例えば、調整可能アレイは、ルータ−ルータ、クラウドコンピューティング、サーバーファーム、ＳＯＮＥＴ仕様（例えば、ＣＦＰ）を満たす並列リンクなどのような用途に実装することができる。
【００１１】
多用性に加えて、本発明による調整可能アレイは、接触部、ボンドワイヤ、及び／又は電流若しくは電圧源の数を少なくして使用することが可能になる。一つの実施形態では、調整可能アレイのボンドワイヤの数はｎ×ｍ未満に減少され、ここで、ｎは光デバイスの数であり、ｍは個々の光デバイスで必要とされる接合の数である。その結果として、調整可能アレイのサイズを最小化することができる。本発明は、さらに、駆動電流又は電圧の著しい低減を可能にする。例えば、１０チャネルアレイの実施形態では、アレイの全チューニング電流は、「標準」レーザのアレイでの５００〜７５０ｍＡと比較して、約１００ｍＡに減少させることができる。
【００１２】
本発明の一つの態様によれば、調整可能アレイデバイスは、複数の光デバイスを含み、各光デバイスは、当該光デバイスから出力される光学上の光を有し、複数の光デバイスのその対応する光学上の光が出力パラメータに関して互いに対して所定の不等関係を有するようにして構成され、駆動信号に応じて、複数の光デバイスは、所定の不等関係を実質的に維持しながら、対応する光学上の光を出力パラメータに関して調整するようにさらに構成される。
【００１３】
一つの実施形態によれば、出力パラメータは、波長、周波数、パワー、位相、及び偏波のうちの少なくとも一つである。
【００１４】
別の実施形態によれば、複数の光デバイスの各々は、駆動信号に応じて、所定の不等関係を実質的に維持しながら対応する光学上の光を出力パラメータに関して調整する少なくとも一つの調整セクションを含む。
【００１５】
別の実施形態によれば、調整可能アレイデバイスは、複数の光デバイスのその対応する少なくとも一つの調整セクションに駆動信号を出力するように結合及び構成されるコントローラをさらに含む。
【００１６】
別の実施形態によれば、コントローラは、複数の光デバイスのその対応する少なくとも一つの調整セクションを間接的に結合させるものである。
【００１７】
別の実施形態によれば、駆動信号は、主信号から生じる複数（multiple）の信号を含む。
【００１８】
別の実施形態によれば、複数の光デバイスのその対応する少なくとも一つの調整セクションは、物理的に互いに結合され、駆動信号を共有する。
【００１９】
別の実施形態によれば、複数の光デバイスのその対応する少なくとも一つの調整セクションは、電圧、電流、温度、及び機械的操作のうちの少なくとも一つによって光学上の光を調整する。
【００２０】
別の実施形態によれば、複数の光デバイスの各々は、所定の不等関係を調整するとともに対応する光学上の光を出力パラメータに関して独立に調整するように構成される少なくとも一つの追加の調整セクションを含む。
【００２１】
別の実施形態によれば、所定の不等関係は、複数の光デバイスのその対応する光学上の光が出力パラメータに関して互いに対して等しいオフセット、不等のオフセット、及び所定の比率のうちの少なくとも一つを有することを含む。
【００２２】
別の実施形態によれば、所定の不等関係は、複数の光デバイスのその対応する光学上の光の出力パラメータが、出力パラメータに関する対応する光学上の光の調整に先立って第１の組の値のそれぞれに一致し、調整の後で第２の組の値のそれぞれに一致することを含む。
【００２３】
別の実施形態によれば、所定の不等関係は、複数の光デバイスのその対応する光学上の光の周波数が、出力パラメータに関する対応する光学上の光の調整に先立ってＩＴＵグリッドの第１の組のチャネルのそれぞれに一致し、調整の後でＩＴＵグリッドの第２の組のチャネルのそれぞれに一致することを含む。
【００２４】
別の実施形態によれば、複数の光デバイスは、ＩＴＵグリッドのそれぞれのチャネルに沿って複数の光デバイスのその対応する光学上の光をステップ（step）させるようにさらに構成される。
【００２５】
別の実施形態によれば、対応する光学上の光が、互いに対して等しい追加の出力パラメータをさらに有する。
【００２６】
別の実施形態によれば、複数の光デバイスは、単一チップに一体構造で集積化されている。
【００２７】
別の実施形態によれば、複数の光デバイスは、複数のチューナブルレーザ、変調器、光検出器、半導体光増幅器、偏波コントローラ、及び位相コントローラのうちの少なくとも一つを含む。
【００２８】
別の実施形態によれば、調整可能アレイデバイスは、対応する光学上の光を組み合わせて組合せ出力にするように構成された結合器をさらに含む。
【００２９】
別の実施形態によれば、調整可能アレイデバイスは、１つ以上の追加の冗長な光デバイスをさらに含む。
【００３０】
本発明の別の態様によれば、調整可能アレイデバイスは、複数のチューナブルレーザを含み、各チューナブルレーザは、当該チューナブルレーザから出力される光学上の光を有し、複数のチューナブルレーザのその対応する光学上の光が周波数に関して互いに対して所定の不等関係を有するようにして構成され、駆動信号に応じて、複数のチューナブルレーザデバイスは、不等の所定の関係を実質的に維持しながら対応する光学上の光を周波数に関して調整するようにさらに構成される。
【００３１】
一つの実施形態によれば、複数のチューナブルレーザの各々は、駆動信号に応じて、所定の不等関係を実質的に維持しながら光学上の光を調整する対応する前部グレーティングチューニングセクションを含む。
【００３２】
別の実施形態によれば、調整可能アレイデバイスは、複数の光デバイスのその対応する前部グレーティング・チューニング・セクションに駆動信号を出力するように結合及び構成されるコントローラをさらに含む。
【００３３】
別の実施形態によれば、コントローラは、複数の光デバイスのその対応する前部グレーティング・チューニング・セクションを間接的に結合させるものである。
【００３４】
別の実施形態によれば、駆動信号は、主信号から生じる複数（multiple）の信号を含む。
【００３５】
別の実施形態によれば、複数の光デバイスのその対応する前部グレーティングチューニングセクションは、物理的に互いに結合され、駆動信号を共有する。
【００３６】
別の実施形態によれば、複数の光デバイスの各々は、所定の不等関係を調整するとともに対応する光学上の光を周波数に関して独立に調整するように構成される少なくとも一つの対応する後部グレーティング・チューニング・セクション又は位相チューニングセクションを含む。
【００３７】
別の実施形態によれば、所定の不等関係は、複数のチューナブルレーザのその対応する光学上の光が周波数に関して互いに対して等しいオフセット、不等のオフセット、及び所定の比率のうちの少なくとも一つを有することを含む。
【００３８】
別の実施形態によれば、所定の不等関係は、複数の光デバイスのその対応する光学上の光の周波数が、出力パラメータに関する対応する光学上の光の調整に先立ってＩＴＵグリッドの第１の組のチャネルのそれぞれに一致し、調整の後でＩＴＵグリッドの第２の組のチャネルのそれぞれに一致することを含む。
【００３９】
別の実施形態によれば、複数のチューナブルレーザは、ＩＴＵグリッドのそれぞれのチャネルに沿って複数のチューナブルレーザのその対応する光学上の光をステップさせるようにさらに構成される。
【００４０】
別の実施形態によれば、複数のチューナブルレーザは単一チップに一体構造で集積化されている。
【００４１】
別の実施形態によれば、複数のチューナブルレーザの各々は、実質的に同じ動作条件下で、複数の光デバイスの光学上の光を、周波数に関して互いに対して等しいオフセット、不等のオフセット、及びある比率のうちの少なくとも一つにするように構成された対応する後部グレーティング又は前部グレーティングの少なくとも一方を含む。
【００４２】
別の実施形態によれば、調整可能アレイデバイスは、対応する光学上の光を組合せ出力に組み合わせるように構成された結合器をさらに含む。
【００４３】
別の実施形態によれば、調整可能アレイデバイスは、１つ以上の追加の冗長なチューナブルレーザをさらに含む。
【００４４】
本発明の別の態様は、調整可能アレイデバイスを調整する方法であり、調整可能アレイデバイスは、複数の光デバイスを備え、各光デバイスは、当該光デバイスから出力される光学上の光を有し、複数の光デバイスのその対応する光学上の光が出力パラメータに関して互いに対して所定の不等関係を有するようにして構成され、当該方法が、駆動信号を複数の光デバイスに供給するステップと、駆動信号に応じて、所定の不等関係を実質的に維持しながら対応する光学上の光を出力パラメータに関して調整するステップとを含む。
【００４５】
一つの実施形態によれば、出力パラメータは、波長、周波数、パワー、位相、及び偏波のうちの少なくとも一つである。
【００４６】
別の実施形態によれば、対応する光学上の光を調整するステップは、駆動信号に応じて、所定の不等関係を実質的に維持しながら対応する光学上の光を出力パラメータに関して調整するように構成される複数の光デバイスの各々の少なくとも一つの調整セクションを調整するステップを含む。
【００４７】
別の実施形態によれば、この方法は、複数の光デバイスのその対応する少なくとも一つの調整セクションに駆動信号を出力するように結合及び構成されるコントローラを用いて、複数の光デバイスのその対応する少なくとも一つの調整セクションを制御するステップをさらに含む。
【００４８】
別の実施形態によれば、コントローラは、複数の光デバイスのその対応する少なくとも一つの調整セクションを間接的に結合させるものである。
【００４９】
別の実施形態によれば、駆動信号は、主信号から生じる複数（multiple）の信号を含む。
【００５０】
別の実施形態によれば、複数の光デバイスのその対応する少なくとも一つの調整セクションは、物理的に互いに結合され、駆動信号を共有する。
【００５１】
別の実施形態によれば、対応する光学上の光を調整するステップは、複数の光デバイスのその対応する少なくとも一つの調整セクションを電圧、電流、温度、及び機械的操作のうちの少なくとも一つによって調整するステップを含む。
【００５２】
別の実施形態によれば、この方法は、所定の不等関係を調整するとともに対応する光学上の光を出力パラメータに関して独立に調整するステップをさらに含む。
【００５３】
別の実施形態によれば、対応する光学上の光を独立に調整するステップは、所定の不等関係を調整するとともに対応する光学上の光を出力パラメータに関して独立に調整するように構成される複数の光デバイスの各々の少なくとも一つの追加の調整セクションを独立に調整するステップを含む。
【００５４】
別の実施形態によれば、所定の不等関係は、複数の光デバイスのその対応する光学上の光が、出力パラメータに関して互いに対して等しいオフセット、不等のオフセット、及びある比率のうちの少なくとも一つとなることを含む。
【００５５】
別の実施形態によれば、所定の不等関係は、複数の光デバイスのその対応する光学上の光の出力パラメータが、出力パラメータに関する対応する光学上の光の調整に先立って第１の組の値のそれぞれに一致し、調整の後で第２の組の値のそれぞれに一致することを含む。
【００５６】
別の実施形態によれば、所定の不等関係は、複数の光デバイスのその対応する光学上の光の周波数が、出力パラメータに関する対応する光学上の光の調整に先立ってＩＴＵグリッドの第１の組のチャネルのそれぞれに一致し、調整の後でＩＴＵグリッドの第２の組のチャネルのそれぞれに一致することを含む。
【００５７】
別の実施形態によれば、対応する光学上の光を調整するステップは、ＩＴＵグリッドのそれぞれのチャネルに沿って複数の光デバイスのその対応する光学上の光をステップさせるステップを含む。
【００５８】
別の実施形態によれば、複数の光デバイスは、複数のチューナブルレーザ、変調器、光検出器、半導体光増幅器、偏波コントローラ、及び位相コントローラのうちの少なくとも一つを含む。
【００５９】
別の実施形態によれば、この方法は、対応する光学上の光を組み合わせて、組合せ出力にするステップをさらに含む。
【００６０】
別の実施形態によれば、調整可能アレイデバイスは、１つ以上の追加の冗長な光デバイスをさらに含む。
【００６１】
本発明の前述及び他の特徴は添付図面を参照しながら以下でさらに詳細に説明される。
【図面の簡単な説明】
【００６２】
【図１】チューナブルレーザ、ＳＯＡ、変調器、及び偏波コントローラを含む従来の光デバイスの概略図である。
【図２】本発明による、単一チップに一体構造で構成された複数の光デバイスを含む例示的な調整可能アレイの概略図である。
【図３】本発明による、単一チップに一体構造で構成された複数の光デバイスを含む例示的な調整可能アレイの概略図である。
【図４】本発明による、単一チップに一体構造で構成された複数の光デバイスを含む例示的な調整可能アレイの概略図であり、各光デバイスは、チューナブルレーザ、ＳＯＡ、変調器、及び偏波コントローラを含む。
【図５】本発明による、対応する光学上の光の出力パラメータ（例えば、周波数）の例示的な調整を示すグラフである。
【図６】本発明による、対応する光学上の光の出力パラメータ（例えば、周波数）の例示的な調整を示すグラフである。
【図７】本発明による、対応する光学上の光の出力パラメータ（例えば、周波数）の例示的な調整を示すグラフである。
【図８】本発明による、複数の個別の光デバイスを含む例示的な調整可能アレイの概略図である。
【図９】本発明による、複数の個別の光デバイスを含む例示的な調整可能アレイの概略図である。
【図１０】本発明による、複数の個別の光デバイスを含む例示的な調整可能アレイの概略図であり、個別の光デバイスの各々は、チューナブルレーザ、ＳＯＡ、変調器、及び偏波コントローラを含む。
【発明を実施するための形態】
【００６３】
以下の説明では、同様の構成要素は、それらが異なる実施形態に示されるかどうかにかかわらず同じ参照番号が与えられることがある。明確かつ簡潔に本発明の実施形態を示すために、図面は必ずしも原寸に比例していないことがあり、いくつかの特徴はある程度概略的形態で示されることがある。ある実施形態に関して説明及び／又は図示された特徴は、１つ以上の他の実施形態において、及び／又は他の実施形態の特徴と組み合わせて、若しくはそれら他の実施形態における特徴の代わりに、同じやり方で又は同様のやり方で使用することができる。
【００６４】
次に、図面を詳細に参照し、最初に図１を参照すると、従来の光デバイスが、１００で全体的に示されており、その基本構造は本発明による例示的な調整可能アレイデバイスで利用することができる。光デバイス１００は、半導体光増幅器（ＳＯＡ）１０４、後部ＳＯＡ１０６、変調器１０８、及び偏波コントローラ１１７が集積されたチューナブルレーザ１０２を含む。チューナブルレーザ１０２は、米国特許第７，１４５，９２３号に開示されたものなどのデジタルスーパーモード分布ブラッグ反射器（ＤＳＤＢＲ）レーザとして示される。光デバイスの変調器１０８は、マッハ・ツェンダー干渉計変調器として示される。ＤＳＤＢＲレーザ１０２、ＳＯＡ１０４、及びマッハ・ツェンダー変調器１０８は、一体構造で集積化され、集積化レーザマッハ・ツェンダー（ＩＬＭＺ）デバイスを形成する。この文脈では、光デバイス１００が主として図示及び記載されるが、光デバイス１００の設計は任意の他の好適な設計とすることができることが理解されるべきである。チューナブルレーザ１０２、ＳＯＡ１０４及び１０６、変調器１０８、並びに偏波コントローラ１１７を含む光デバイス１００の特定の設計が、最も広い意味で本発明に密接に関連しているわけではない。
【００６５】
一例として、光デバイス１００のチューナブルレーザ１０２は、３セクションＤＢＲなどの電子チューナブルレーザ、サンプルド・グレーティングＤＢＲレーザ（ＳＧ−ＤＢＲ）、超構造グレーティングＤＢＲレーザ（ＳＳＧ−ＤＢＲ）、サンプルド・グレーティング・リフレクタ（ＧＣＳＲ）をもつグレーティング・アシストテッド同方向性結合器レーザ、又はＹ接合レーザ（Ｙ３レーザ）とすることができる。チューナブルレーザ１０２は、さらに、微小電子機械チューナブル垂直キャビティ面発光レーザ（ＭＥＭ−ＶＣＳＥＬ）又は外部キャビティレーザ（ＥＣＬ）などの機械的チューニング・レーザとすることができる。
【００６６】
チューナブルレーザ１０２は、一般に、後部グレーティング・チューニング・セクション１１０、位相制御チューニング・セクション１１２、利得セクション１１４、前部グレーティング・チューニング・セクション１１６、及び共通導波路１１５を含む。前部グレーティング・チューニング・セクション１１６、及び／又は後部グレーティング・チューニング・セクション１１０の調整により、光出力の周波数（波長）が調整される。グレーティングは、主として、どの周波数（波長）がチューニングセクションの所与の電流で出力されるかを規定する。位相制御チューニング・セクション１１２の調整により光出力の周波数が細かくチューニングされ、利得セクション１１４の調整により光出力の利得が調整される。簡潔にするために、波長チューナブルレーザ１０２の構成要素の各々の具体的な構造及び機能は詳細には説明されない。
【００６７】
チューナブルレーザ１０２の後部グレーティングは、後部グレーティングから出力される光を増幅するために後部ＳＯＡ１０６に光学的に結合される。一つの実施形態では、後部ＳＯＡ１０６の出力は、外部波長ロッカー（図示せず）に光学的に結合することができる。波長ロッカーは、例えば、コントローラと組み合わせて利用することができ、出力光の波長を保持するためにチューナブルレーザ１０２の１つ以上のセクションに補正係数を与えることができる。
【００６８】
チューナブルレーザの前部グレーティングは、前部グレーティングから変調器１０８に出力される光を増幅するためのＳＯＡ１０４に光学的に結合され、変調器は、光学上の光の偏波を制御するための偏波コントローラ１１７に光学的に結合される。ＳＯＡ１０４の調整により、チューナブルレーザ１０２からの光出力のパワーレベルが調整される。図示のように、マッハ・ツェンダー変調器は、不均衡制御電極１１８、ＲＦ入力部１２０及び１２４、ＲＦ接地１２２及び１２６、並びに光パワーモニタ１２８を含む。変調器１０８は、波長チューナブルレーザ１０２の光出力を変調し、意図した機能を光デバイス１００が行なうことができるようにするために設けられる。例えば、チューナブルレーザ１０２の出力を変調するための例示的な変調形式には、例えば、４０Ｇ  ＯＯＫ、４０Ｇ  ＱＰＳＫ（２×２０Ｇ）、２５Ｇデュオバイナリ、及び１０Ｇ  ＯＯＫが含まれる。一つの実施形態では、光デバイス１００（例えば、ＩＬＭＺ）は、光通信で使用するのに好適である。マッハ・ツェンダー変調器は、当技術分野でよく知られており、特定した構成要素の各々の具体的な構造及び機能は、簡潔にするために詳細には説明されない。
【００６９】
図１に示した光デバイス１００は、広範囲の到達距離及びＩＴＵグリッド間隔に好適である可能性がある。したがって、図１に示したものなどの複数の光デバイスを使用することにより、多様性をもつ調整可能アレイを提供して、固定波長光デバイスの多くの別形を使用する必要性をなくすことができる。例えば、複数の光デバイス１００は個々にチューニング及び組合せを行い、特定のＩＴＵグリッド上で（例えば、隣接する１００ＧＨｚ、５０ＧＨｚ、３３ＧＨｚ、２５ＧＨｚ、又は１２．５ＧＨｚグリッド点で）光出力のブロックを生成することができる。
【００７０】
しかし、図１に示したものなどの光デバイスは、かなりの数の接触部を含む。図１に示した光デバイス１００の１０個を独立に配置するには、約２２０個の接触パッド（デバイス当たり２２個の接触パッド）が必要とされることになる。さらに、複数の個々の光デバイスから形成される調整可能アレイは、チューニング、試験、及び制御を高い歩留りで行なうことが困難である。例えば、ある一つの光デバイスの出力周波数は、一般に、同じ電流及び温度で動作されたときでさえ、製造プロセスから生じる導波路形状寸法の微妙な差、並びに光デバイスが製造される半導体層の厚さの変動に起因して、別のものとは異なる。したがって、そのような実施態様は、高度の複雑さを伴う「無理矢理な（sledge hammer）」手法になるであろう。
【００７１】
図１に示したものなどの光デバイスは、通常、他の多くの同様のデバイス（多くの場合、一度に１０００を超える）とともにウェハ上に製造される。個々の光デバイス１００は、通常、ウェハを棒状物にへき開（cleaving）し（各棒状物は複数のデバイスを含む）、デバイスファセットを被覆し、最終的に、棒状物を個々のチップにへき開することによって形成される。
【００７２】
ウェハ上の同様に製作された隣接する光デバイス１００のセクションが同じ又は同様の電流又は電圧で駆動される場合、そのようなデバイスでは、対応する光出力が同じ又は同様の出力パラメータを有することが達成されることになることが発明者らによって見いだされた。例えば、複数のデバイスの光出力の分析が示すところによれば、同様のＤＣ設定が適用された場合、隣接するチップの光デバイスの少なくとも６７％が互いに１５ＧＨｚ以内にある。これのごく一部の要因としては、光デバイスが接近していることである。さらに、光出力の変動は、デバイスを一緒にアレイに集積化することに関連する光デバイス間の温度差の減少によって最小化される。光デバイスを一緒に集積化することに関連するさらなる利点には、電気的相互接続抵抗及び光損失の低減、並びにアレイの全体サイズの低減が含まれる。
【００７３】
これらの原理によれば、以下の説明に記載するように、光デバイスの調整可能アレイは、単一チップに一体構造で集積化することができる。調整可能アレイは複数の光デバイスを含み、各光デバイスは出力パラメータに関して互いに対して所定の不等関係で当該光デバイスから出力される光学上の光（optical light）を有する。本明細書で使用されるとき、光学上の光の出力パラメータは、例えば、波長、周波数、パワー、位相、又は偏波などの任意の測定可能なパラメータとすることができる。さらに、所定の不等関係という用語は、例えば、等しいオフセット、不等のオフセット、所定の比率などのような任意の好適な不等関係を含む。例えば、所定の不等関係が等しいオフセットである一実施形態では、複数の光デバイスのその対応する光学上の光の出力パラメータは、例えば、Ｘ、Ｘ＋ΔＹ、Ｘ＋２ΔＹ、Ｘ＋３ΔＹなどとすることができる。同様に、所定の不等関係が不等のオフセットである一実施形態では、複数の光デバイスのその対応する光学上の光の出力パラメータは、例えば、Ｘ、Ｘ＋ΔＹ、Ｘ＋ΔＹ＋ΔＺ、Ｘ  ΔＹ＋ΔＺ＋ΔＷなどとすることができる。所定の不等関係が所定の比率である一実施形態では、複数の光デバイスのその対応する光学上の光の出力パラメータは、例えば、Ｘ、２Ｘ、３Ｘ、４Ｘなどとすることができる。所定の不等関係の調整を以下で説明する。
【００７４】
当然、対応する光学上の光は、複数の光デバイスのその対応する光学上の光間で同等である少なくとも追加の出力パラメータを有することができることが意図される。例えば、所定の不等関係が、対応する光学上の光の周波数に関係する一実施形態では、前記対応する光学上の光は同等のパワーで出力され得る。
【００７５】
本発明によれば、共通駆動信号（例えば、電流又は電圧）を、複数の光デバイスのそれぞれの調整セクションのうちの少なくとも一つに印加することができる。共通駆動信号に応じて、各光デバイスの少なくとも一つの調整セクションは、電圧、電流、温度、及び機械的操作のうちの少なくとも一つによって光学上の光を調整することができる。共通駆動信号を介してそれぞれの調整セクションを調整すると、出力パラメータに関して所定の不等関係を実質的に維持しながら、対応する光学上の光を出力パラメータに関して調整できるようになる。
【００７６】
図２及び３は、調整可能アレイ１０００の様々な実施形態を全体的に示し、共通駆動信号を、複数の光デバイス１０００ａ〜ｄのその対応する少なくとも一つの調整セクション１００２ａ〜ｄに印加することができる。本発明によれば、各光デバイスの少なくとも一つの調整セクション１００２ａ〜ｄは、共通して、互いに結合され且つコントローラ１００４に結合される。コントローラ１００４は、共通駆動信号（例えば、電流又は電圧）を複数の光デバイス１０００ａ〜ｄのその対応する少なくとも一つの調整セクション１００２ａ〜ｄに出力するように構成される。図２に示されるように、各光デバイスの少なくとも一つの調整セクション１００２ａ〜ｄは、互いに（及びコントローラに）物理的に結合され、共通駆動信号を共有することができる。そのような実施形態では、対応する少なくとも一つの調整セクション１００２ａ〜ｄは、調整可能アレイ１０００の製造プロセス中に共通メタライゼーションを介して接合することができる。したがって、調整可能アレイ１０００は、数を少なくした接触部、及び／又は光デバイス１０００ａ〜ｄを駆動するのに使用される、数を少なくした電流源を含むことができる。調整可能アレイのチューニングセットアップ（以下で説明する）も簡単化される。
【００７７】
図３に示されるように、それぞれの少なくとも一つの調整セクション１００２ａ〜ｄは、物理的に結合されないことがあるが、代わりに、共通して、コントローラに結合されて且つそのコントローラによって駆動され得る。そのような結合は、本明細書では、間接結合と呼ばれる（又はアルゴリズム結合と呼ばれることもある）。本実施形態では、コントローラ１００４によって供給される駆動信号は複数（multiple）の信号を含み、各信号はそれぞれの少なくとも一つの調整セクションに供給される。複数の信号は主信号から導き出すことができる。例えば、コントローラ１００４への制御入力信号によって、個別であるが関連するいくつかの信号を含む駆動信号を、それぞれの少なくとも一つの調整セクション１００２ａ〜ｄへ出力させることができる。前記個別であるが関連する信号は、同じでもよく、異なっていてもよい。
【００７８】
したがって、本発明は、各光デバイスが出力パラメータに関して互いに対して所定の不等関係でその光デバイスから出力される光学上の光を有する複数の光デバイスの調整可能アレイを提供する。上述のように、光学上の光の出力パラメータは、例えば、波長、周波数、パワー、位相、又は偏波などの任意の測定可能なパラメータとすることができる。さらに、光デバイスの各々は、共通駆動信号に応じて、所定の不等関係を実質的に維持しながら対応する光学上の光を出力パラメータに関して調整するように構成される少なくとも一つの調整セクションを含む。
【００７９】
図４は、本発明による例示的な調整可能アレイ２００を示し、その調整可能アレイから出力された対応する光学上の光は、出力パラメータに関して互いに対して所定の不等関係を有する。調整可能アレイ２００は、単一チップに一体構造で集積化された、複数の同様に製作された光デバイス２０２ａ〜ｄを含む。調整可能アレイデバイス２００に含まれる各光デバイス２０２ａ〜ｄの構造は、デバイスごとに、チューナブルレーザ２０４（例えば、後部グレーティング・チューニング・セクション２１０、位相制御チューニング・セクション２１２、利得セクション２１４、前部グレーティング・チューニング・セクション２１６、及び共通導波路２１５を含む）が、ＳＯＡ２０６、変調器２０８（例えば、不均衡制御電極１１８、ＲＦ入力部１２０及び１２４、ＲＦ接地１２２及び１２６、並びに光パワーモニタ１２８を含む）、及び偏波コントローラ２１７と一体構造で集積化されているという点で、図１の光デバイス１００の構造と同様である。
【００８０】
図４の例示的な実施形態に示されるように、光デバイス２０２ａ〜ｄの各々の前部グレーティング・チューニング・セクション２１６は、共通して互いに結合され、共通駆動信号（すなわち、上述のようなコントローラからの電流又は電圧源）を共有する。すなわち、各接触部（及び関連する電流又は電圧源）は、各光デバイスの前部グレーティング・チューニング・セクションに物理的に結合される。別の実施形態では、各光デバイスの前部グレーティング・チューニング・セクションは、代わりに、図３において上述したように間接的に結合することができる（すなわち、コントローラによって）。共通して結合された前部グレーティング・チューニング・セクション２１６を調整すると（すなわち、共通駆動信号を介して）、周波数／波長に関して所定の不等関係を実質的に維持しながら周波数／波長に関して複数の光デバイスのその対応する光学上の光が調整される。
【００８１】
図５及び６は、例示的な出力パラメータとして周波数を使用して、所定の不等関係を実質的に維持しながら対応する光学上の光を出力パラメータに関して調整することを示す。図５において、所定の不等関係は等しいオフセット（例えば、Ｘ、Ｘ＋ΔＹ、Ｘ＋２ΔＹ、Ｘ＋３ΔＹ）である。ここで、複数の光デバイスのその対応する光学上の光の出力パラメータ（例えば、周波数）は、出力パラメータ（例えば、周波数）に関する対応する光学上の光の調整に先立って第１の組のそれぞれの値５００ａ〜ｄに一致しており、調整の後で第２の組のそれぞれの値５０２ａ〜ｄに一致する。すなわち、駆動信号に対して行われた調整の結果として、複数の光デバイスのその対応する光学上の光の出力パラメータ（例えば、周波数）は、量ｋだけ調整される。図６において、所定の不等関係は不等のオフセット（例えば、Ｘ、Ｘ＋ΔＹ、Ｘ＋ΔＹ＋ΔＺ、Ｘ＋ΔＹ＋ΔＺ＋ΔＷ）である。図５の例示的な実施形態と同様に、複数の光デバイスのその対応する光学上の光の出力パラメータ（例えば、周波数）は、出力パラメータ（例えば、周波数）に関する対応する光学上の光の調整に先立って第１の組のそれぞれの値６００ａ〜ｄに一致しており、調整の後で第２の組のそれぞれの値６００ａ〜ｄに一致する。再び、駆動信号に対して行われた調整の結果として、複数の光デバイスのその対応する光学上の光の出力パラメータ（例えば、周波数）は、量ｋだけ調整される。
【００８２】
出力パラメータが周波数である図５及び６に示したものなどの一実施形態では、複数の光デバイスのその対応する光学上の光の周波数は、その対応する光学上の光の調整に先立ってＩＴＵグリッドの第１の組のそれぞれのチャネルに一致しており、調整の後でＩＴＵグリッドの第２の組のそれぞれのチャネルに一致することができる。すなわち、複数の光デバイスのその対応する光学上の光は、ＩＴＵグリッドのそれぞれのチャネルに沿ってステップ（step）されることが可能である。本発明による調整可能アレイは、様々なＩＴＵグリッド（例えば、２００ＧＨｚ間隔、１００ＧＨｚ間隔、５０ＧＨｚ間隔など）に一致させるために利用することができる。その上、レーザの各々は、光学上の光のそれぞれの波長がＩＴＵグリッド（例えば、ＩＴＵグリッド上のＣバンド、Ｌバンドなどにおける）に沿ったいかなる場所にも配置されるチャネル（隣り合うか、又は隣り合わない）に一致するように構成することができるように、調整可能である。例えば、１００ＧＨｚずつ分離され、２５Ｇｂ／ｓデュオバイナリで変調された４チャネルを調整可能アレイが出力する一実施形態では、これらの四つのチャネルは、例えば、１００ＧＨｚ  ＩＴＵグリッドのチャネル１、２、３、４、チャネル２３、２４、２５、２６、又はチャネル４５、４６、４７、４８とすることができる。別の例として、１００ＧＨｚずつ分離され、１０Ｇｂ／ｓ  ＯＯＫで変調された１０チャネルを調整可能アレイが出力する一実施形態では、これらの１０チャネルは、ＩＴＵグリッド上の１０チャネル（例えば、チャネル１〜１０、１３〜２２など）の任意の組合せとすることができる。
【００８３】
複数の光デバイスから出力された対応する光学上の光の所定の不等関係は、いくつかの方法で実現することができる。図２及び３を引き続き参照すると、複数の光デバイス１０００の各々は、少なくとも一つの追加の調整セクション１００６ａ〜ｄを含むことができる。各光デバイスの少なくとも一つの追加の調整セクション１００６ａ〜ｄは、さらに、対応する光学上の光を、出力パラメータに関して（例えば、コントローラによって供給される独立した駆動信号に応じて）調整するように構成される。少なくとも一つの調整セクション１００２ａ〜ｄと同様に、各光デバイスの少なくとも一つの追加の調整セクション１００６ａ〜ｄは、電圧、電流、温度、及び機械的操作のうちの少なくとも一つによって光学上の光を調整することができる。しかし、少なくとも一つの追加の調整セクションは、所定の不等関係を調整するとともに、対応する光学上の光を出力パラメータに関して独立に調整するように構成される。すなわち、ある特定の光デバイスの追加の調整セクションは、他の光デバイスと無関係に、その特定の光デバイスの光学上の光の出力パラメータを調整することができる。例えば、図４を参照すると、所定の不等関係は、光デバイス２０２ａ〜ｄの各々の後部グレーティング・チューニング・セクション２１０又は位相制御チューニング・セクション２１２を独立に調整することによって調整することができる。
【００８４】
光デバイスの各々の少なくとも一つの追加の調整セクションを使用して、例えば、所定の不等関係を設定する、かつ／又は細かくチューニングすることができる。例えば、図７は、例示的な出力パラメータとして周波数を使用する一実施形態を示し、この実施形態において、複数の光デバイスの光学上の光が、ある組のそれぞれの値７００ａ〜ｄに一致し、等しいオフセット（例えば、Ｘ、Ｘ＋ΔＹ、Ｘ＋２ΔＹ、Ｘ＋３ΔＹ）の所定の不等関係が望まれる。ここで、等しいオフセットを達成するために、複数の光デバイスのうちの一つの少なくとも一つの追加の調整セクションを使用して、対応する光学上の光の出力パラメータ（例えば、周波数）を第１の値７００ｂから第２の値７０２ｂまで量ｊだけ独立に調整する。出力パラメータが周波数である一実施形態では、少なくとも一つの追加の調整セクション１００６ａ〜ｄは、対応する光学上の光を独立に調整し、ＩＴＵグリッドの組のそれぞれのチャネルに一致させることができる。したがって、共通に駆動される少なくとも一つの調整セクション１００２ａ〜ｄが、まず、出力パラメータに関して光学上の光を調整するための粗い調整器として使用され、引き続き、個々に駆動される少なくとも一つの追加の調整セクション１００６ａ〜ｄを使用して、個々の光学上の光をそれぞれ細かく調整することができる。
【００８５】
別の実施形態では、アレイの光デバイスは、製造中に、レーザ出力パラメータに差を与え、それによって所定の不等関係を与えるように構成することができる。例えば、図４に示した実施形態では、複数の光デバイス２０２ａ〜ｄの後部グレーティング（並びに前部グレーティング）は、アレイのそれぞれの光デバイスごとの波長が所与の量（例えば、１００ＧＨｚ）だけ漸進的にずらされるように設計及び製作することができる（例えば、可変ピッチのブラッグ・グレーティングを使用して）。例えば、光デバイスは、それぞれ、米国特許第５，９３０，２７８号に開示されているものと同様の可変ピッチのブラッグ・グレーティングを含むことができる。一つの実施形態では、アレイは、所望の量（例えば、１００ＧＨｚなどのＩＴＵグリッドによって指定された量）だけ既にずらされている波長出力を達成することができる。当然、光デバイスの各々の少なくとも一つの追加の調整セクションをこのずらされた設計及び製作と組み合わせて使用して、所定の不等関係を設定及び／又は細かくチューニングすることができる。
【００８６】
さらなる別の実施形態では、コントローラは、複数の光デバイスから出力される光学上の光の所定の不等関係を与え、かつ／又は調整することができる。図３に関連して前述したように、それぞれの少なくとも一つの調整セクション１００２ａ〜ｄは、コントローラ１００４によって、共通して結合されて駆動され得る（すなわち、間接的に結合される）。本実施形態では、所定の不等関係は、駆動信号を含む複数の信号で与えることができる。例えば、図４の対応する前部グレーティング・チューニング・セクション２１６は、代わりに、コントローラを介して間接的に結合することができ、駆動信号を含むそれぞれの信号は、周波数に関する所定の不等関係を与え、かつ／又は調整するように動作することができる。
【００８７】
図４は周波数に関して本発明の特徴を例示しているが、前部グレーティング・チューニング・セクション以外の、又はそれに加えた少なくとも一つの調整セクションを共通に結合及び駆動することができることと、光学上の光の出力パラメータは、例えば、波長、周波数、パワー、位相、又は偏波などの任意の測定可能なパラメータとすることができることとが理解されるべきである。例えば、各光デバイス２０２ａ〜ｄの、その対応する利得セクション２１４、後部グレーティング・チューニング・セクション２１０、位相制御チューニング・セクション２１２、偏波コントローラ２１７、及び／又はＳＯＡ２０６のうちの１つ以上は、共通駆動信号によって共通に駆動及び調整することができる。これらの調整セクションの共通結合及びそれらの調整は、前述の説明に記載したものと同じである。対応する利得セクション２１４、位相制御チューニング・セクション２１２、偏波コントローラ２１７、及び／又はＳＯＡ２０６の１つ以上が共通駆動信号で共通に駆動及び調整される一実施形態では、各光デバイスは、独立した細かなチューニングのために、追加の利得セクション、位相制御チューニング・セクション、偏波コントローラ、及び／又はＳＯＡを含むことができる。
【００８８】
調整可能アレイ２００の光デバイス２０２ａ〜ｄの各々の変調器２０８の１つ以上のセクションは、共通の電流又は電圧源を共有することができることも意図される。例えば、共通ＤＣバイアスを、バイアスＴ及び共通電圧源を介して各変調器２０８のＲＦ電極２２０及び／又は２２４に印加することができる。
【００８９】
図４の調整可能アレイ２００は、四つの光デバイス２０２ａ〜ｄを含む。一実施形態において、図４の四つのデバイス調整可能アレイ２００は、各チャネルが約２５Ｇｂ／ｓのデータレートを有する四つのチャネル（隣り合うか、又は隣り合わない）を生成するように動作することができる。しかし、任意の好適なデータレートを光デバイス２０２ａ〜ｄで生成することができることが意図される。当然、ＦＥＣ（順方向誤り訂正）を実施するのにオーバヘッドが必要とされるので、引用したラインレートは必要とされる実際のレートよりも一般に低くなることが留意されるべきである。典型的には、約１１．５Ｇｂ／ｓが１０Ｇｂ／ｓチャネルに対して必要とされ、約２８Ｇｂ／ｓが２５Ｇｂ／ｓチャネルに対して必要とされ、約１１６Ｇｂ／ｓが１００Ｇｂ／ｓチャネルに対して必要とされる、などである。さらに、任意の好適な数の光デバイスを調整可能アレイに含めることができることも意図される。例えば、調整可能アレイ２００は１０個の光デバイスを含むことができる。一つの実施形態では、１０チャネル調整可能アレイは、１０チャネルアレイとして動作し、各チャネルが各々約１０Ｇｂ／ｓの帯域幅を有する１０チャネル（隣り合うか、又は隣り合わない）のＩＴＵチャネルを生成することができる。
【００９０】
実施形態によっては、調整可能アレイは、１つ以上の追加の冗長な光デバイスを含むことができる。これらの冗長な光デバイスは、アレイに含まれる追加の光デバイスであり、通常、スタンバイモードにあるが、アレイの他の光デバイスのうちの一つが故障した場合に使用することができる。例えば、４×２５Ｇｂ／ｓアレイチップは、一つの追加の光デバイス要素を含むことができ、１０×１０Ｇｂ／ｓアレイは、冗長を可能にするための一つ又は二つの追加の光デバイスを含むことができる。
【００９１】
調整可能アレイが棒レベル（bar level）で一体構造で構成されない場合でさえ、制御の簡単化と、電流又は電圧源の数を少なくして使用することに関して、共通電流又は電圧を使用する個別の光デバイスの調整可能アレイを組み立てることに依然として利点がある。図８及び９は、調整可能アレイ１０００の様々な実施形態を全体的に示し、この調整可能アレイにおいて、共通駆動信号は、複数の個別の光デバイス１０００ａ〜ｄの少なくとも一つの調整セクション１００２ａ〜ｄに印加することができる。図２及び３と同様に、少なくとも一つの調整セクション１００２ａ〜ｄは、（例えば、ワイヤボンド１０１０を介して）物理的に結合することができ、又は少なくとも一つの調整セクション１００２ａ〜ｄは、間接的に結合することができる（すなわち、コントローラを介して結合される）。図１０は、本発明による例示的な調整可能アレイデバイス３００の一部を示し、この調整可能アレイデバイスにおいて、アレイは、図１に示した複数の個別の光デバイス１００ａ〜ｂから形成される。図４の調整可能アレイデバイス２００と同様に、各光デバイス１００ａ〜ｂの前部グレーティング・チューニング・セクション１１６は、共通駆動信号で駆動される。光デバイスのこれらのセクションは、ワイヤボンド３１０を介して結合される。当然、前部グレーティング・チューニング・セクション１１６は、代わりに、図９の実施形態におけるように間接的に結合することができる（すなわち、コントローラに結合される）。
【００９２】
図４を引き続き参照すると、光デバイス２０２ａ〜ｄのそれぞれの出力は、結合器（combiner）２３０を使用して一緒に結合させることができる。結合器２３０は、チップに集積化することができ（図示のように）、又は別個の外部デバイスとすることができる（図１０の実施形態の事例とすることもできるので）。利用される特定の結合器２３０は、調整可能アレイ２００を構成するチャネルの数によって決めることができる。例えば、アレイが４チャネルを含む図４に示した実施形態では、光出力は結合器として４×４ＭＭＩを使用して組み合わすことができる。アレイが１０チャネルを含む別の実施形態では、出力は、結合器として１０チャネルＡＷＧを使用して組み合わすことができる。組合せ出力はＳＯＡ２３２に光学的に結合され、調整可能アレイ２００から出力され得る。
【００９３】
本発明を特定の一つ又は複数の実施形態に関して示し、説明したが、均等な改変及び変更が、本明細書及び添付図面を読み、理解した上で、他の当業者によって思いつかれることは明白である。特に、上述の要素（構成要素、アセンブリ、デバイス、組成物など）によって行われる様々な機能に関して、そのような要素を説明するために使用される用語（「手段」への言及を含む）は、特に指示しない限り、本明細書で示した本発明の例示的な一つ又は複数の実施形態の機能を行なう開示された構造に構造的に均等でなくても、説明した要素の指定された機能を行なう（すなわち、それは機能的に均等である）任意の要素に対応するものである。さらに、本発明の特定の特徴を、いくつかの図示の実施形態の１つ以上にのみに関して上述したが、そのような特徴は、任意の所与の又は特定の用途にとって望ましく及び有利であり得るように、他の実施形態の１つ以上の他の特徴と組み合わせることができる。
【図１】
0006031446.tif 000002
【図２】
0006031446.tif 000003
【図３】
0006031446.tif 000004
【図４】
0006031446.tif 000005
【図５】
0006031446.tif 000006
【図６】
0006031446.tif 000007
【図７】
0006031446.tif 000008
【図８】
0006031446.tif 000009
【図９】
0006031446.tif 000010
【図１０】
0006031446.tif 000011